(57)【要約】【課題】  屋内外を問わず持ち運び可能な風船等の気体収納体を利用した遊戯具において、気体収納体より音声の出力を可能にする。【解決手段】  グリップ部２内では、音声を出力するためのスピーカー６を操作するための制御手段（回路基板７）を組み込み、支持し、グリップ部２が連結部材（筒状部材３）の一方の端部に接続され、そのグリップ部２の端部から伸びる、制御手段からの配線５を連結部材（筒状部材３）内で収納し、連結部材（筒状部材３）の別の（他方の）端部に接続されている気体収納体４に、配線５の端部に設けられたスピーカー６が取り付けられる音声出力玩具１を提供する。【選択図】  図１
2006167354.tif 000002
【特許請求の範囲】
【請求項１】
音声を出力するための拡声器と、前記拡声器から音声を出力するための制御手段と、を備えた音声出力玩具において、
前記制御手段を組み込むことが可能なように中空部が設けられ、前記中空部内で前記制御手段を支持するグリップ部と、
前記グリップ部の端部から伸びる、前記制御手段からの配線を収納し、前記グリップ部の前記端部が、端部に接合されている連結部材と、
前記連結部材の、前記グリップ部が接合された前記端部とは別の端部に接合され、前記配線の端部に設けられた前記拡声器が取り付けられる気体収納体と、を備えることを特徴とする音声出力装置。
【請求項２】
前記グリップ部には、前記拡声器を操作するために前記制御手段を作動させたり、作動を停止させたりするスイッチが設けられていることを特徴とする請求項１に記載の音声出力装置。
【請求項３】
前記気体収納体は合成樹脂製のフィルムよりなることを特徴とする請求項１又は２に記載の音声出力玩具。
【請求項４】
前記連結部材は可撓性のある部材であることを特徴とする請求項１乃至３のいずれかに記載の音声出力玩具。
【請求項５】
前記拡声器が前記気体収納体に取り付けられる位置は前記気体収納体に描かれた模様と重なり合わないことを特徴とする請求項１乃至４のいずれかに記載の音声出力玩具。
【発明の詳細な説明】
【技術分野】
【０００１】
本発明は、合成樹脂製のフィルムの袋体である気体収納体に気体を収納し、その気体を収納した気体収納体より音声を発することを可能にする音声出力玩具に関する。
【背景技術】
【０００２】
図１１は、従来の音声出力装置（スピーカー）１００の断面図である。図１１に示すように、音声出力装置（スピーカー）１００は、マグネット２００と、ボイスコイル３００と、振動体４００と、ダンパ５００及びエッジ６００とを具備している。マグネット２００は、断面略コ字状のＳ極部２２０と、Ｓ極部２２０の内側に所定の間隙を持たせて固設されたＮ極部２２１とで形成されている。ボイスコイル３００は、振動体４００の基部に固着された連結材３５０の外周に巻き付けられた状態で、Ｓ極部２２０とＮ極部２２１との間に位置されている。
【０００３】
これにより、ボイスコイル３００に電気信号電流が通電されると、マグネット２００との電磁誘導作用によって、ボイスコイル３００が前後方向（図１１の上下方向）に移動する。振動体４００は、気密なプラスチック製の気体収納体４４０に、空気より極めて軽量なヘリウムガス４４１を充填し、風船状の球体に膨らませて形成したもので、振動体４００全体の重さを軽量にした構造となっている。この振動体４００の基部には、上記したように、連結材３５０が固着され、気体収納体４４０とボイスコイル３００とが連結材３５０を介して連結されている。これによって、ボイスコイル３００に通電すると、振動体４００が、ボイスコイル３００の振動に対応した振動を行うこととなる。
【０００４】
上記のような振動体４００の基部と周縁部とは、ダンパ５００とエッジ６００とによって支持されている。ダンパ５００は、その外周端部をＳ極部２２０の前面に固着された取付部５５０に固着させ、内周端部を連結材３５０の外周面に固着させた状態で、取付部５５０と連結材３５０との間に取り付けられている。一方、エッジ６００は、Ｓ極部２２０の前面に取り付けられたラッパ状のフレーム７００内に収納された振動体４００の略中央周縁部を支持している。
【０００５】
このようなダンパ５００とエッジ６００とは、例えば鹿皮など、腰が弱く柔軟性のある素材で形成されている。すなわち、振動体４００を支持すると共に、振動体４００の振動に追従しうる素材で形成されている。
【０００６】
次に、この従来の音声出力装置（スピーカー）１００の動作について説明する。図１１において、ボイスコイル３００に電気信号電流を通電すると、マグネット２００との電磁誘導作用によって、ボイスコイル３００が電気信号の波形に対応した振動を行う。これにより、基部が連結材３５０を介して連結された振動体４００が、ボイスコイル３００と一体に振動する。この振動体４００の振動が空気の疎密波となって、音波を放射し、スピーカー音が発生する。
【０００７】
このとき、振動体４００を支持するダンパ５００及びエッジ６００によって、振動体４００の振動運動が拘束されそうになるが、上記のごとく、ダンパ５００及びエッジ６００が、鹿皮など、腰が弱く柔軟性のある素材で形成されているので、ダンパ５００及びエッジ６００が振動体４００の振動を拘束することなく、振動体４００と一体となって運動する。
【特許文献１】特開平９−２４７７９０（段落００１１から段落００１６、図１）
【発明の開示】
【発明が解決しようとする課題】
【０００８】
しかしながら、この従来の音声出力装置（スピーカー）１００では、図１１に示すように、振動体４００を支持するために、ダンパ５００とエッジ６００とを用いている。具体的には、ダンパ５００とエッジ６００とを振動体４００の基部と周縁部に取り付けることにより振動体４００の支持を行っている。ダンパ５００は、その外周端部をＳ極部２２０の前面に固着された取付部５５０に固着させ、内周端部を連結材３５０の外周面に固着させた状態で、取付部５５０と連結材３５０との間に取り付けられている。
【０００９】
一方、エッジ６００は、Ｓ極部２２０の前面に取り付けられたラッパ状のフレーム７００内に収納された振動体４００の略中央周縁部を支持している。具体的には、フレーム７００の先端周縁部内に取付部６６０が嵌められており、この取付部６６０にエッジ６００の外周端部が固着され、気体収納体４４０の略中央周縁部に、エッジ６００の内周端部が固着されている（特開平９−２４７７９０  段落００１４）。  
【００１０】
上記に示すように、振動体４００を支持するために、ダンパ５００とエッジ６００とを用いて複雑な構成を採ることにより振動体４００の支持を実現している。また、ダンパ５００とエッジ６００は振動体４００の振動に追従しうる素材であることが必要であるから、腰が弱く柔軟性のある素材である鹿皮などを選定しなければならなかった。それ故、振動体４００を支持するための材料についても慎重にしなければならないという制約を受けざるを得なかった。
【００１１】
さらに、この従来の音声出力装置（スピーカー）１００は、プラスチック製の気体収納体４４０へ気体であるヘリウムガス４４１を充填し、プラスチック製の気体収納体４４０を風船状の球体に膨らませて、小音量時の微少振動に対するリニアリティを向上させ、音声出力装置（スピーカー）１００の出力音圧レベルを向上させることを可能にするものではあるが、あらゆる音声出力に対応し得るものではない。特に、人がスピーカーである音声出力装置を携えて屋内外へ持ち運びする遊戯具に利用する場合などは、この従来の音声出力装置（スピーカー）１００では容易には利用し難い。
【００１２】
特に、風船等の気体収納体を利用した遊戯具となると、子供が用いる機会が多くなり、複雑な構成であるよりは簡単な構成の方が好まれる。また、子供が用いる風船等の気体収納体を利用した遊戯具であれば、音声出力装置（スピーカー）を通して出力される音声は、あらゆる音声であるという必要性は少ない。特に、風船等の気体収納体を利用した遊戯具との関係で特定の音声に限定しておいた方が好まれることが多い。さらに、子供が用いる風船等の気体収納体を利用した遊戯具であれば、従来の音声出力装置（スピーカー）に要求されてきた、小音量時の微少振動に対するリニアリティの向上や出力音圧レベルの向上が強く要求されるということも少ない。
【００１３】
本発明は、上記事情に鑑みなされたものであり、屋内外を問わず持ち運び可能な風船等の気体収納体を利用し、その気体収納体より音声の出力を可能にする状態を実現する音声出力玩具を提供することを目的とする。
【課題を解決するための手段】
【００１４】
上記の目的を達成するために、請求項１に記載の発明は、音声を出力するための拡声器と、前記拡声器から音声を出力するための制御手段と、を備えた音声出力玩具において、前記制御手段を組み込むことが可能なように中空部が設けられ、前記中空部内で前記制御手段を支持するグリップ部と、前記グリップ部の端部から伸びる、前記制御手段からの配線を収納し、前記グリップ部の前記端部が、端部に接合されている連結部材と、前記連結部材の、前記グリップ部が接合された前記端部とは別の端部に接合され、前記配線の端部に設けられた前記拡声器が取り付けられる気体収納体と、を備えることを特徴とする。
【００１５】
従って、請求項１に記載の発明によれば、グリップ部に拡声器を操作するための制御手段である音声出力のための、音声ＩＣ（チップ）を搭載した回路基板を組み込み、グリップ部より連結部材を経由して気体収納体に取り付けられた拡声器に音声信号を送ることを可能にし、送られた音声信号が拡声器から音声として出力され、その音声が気体収納体に響き（届き）、気体収納体を振動させることにより、音声を大きくするとともに、気体収納体が音声を発している状態を実現することが可能になる。
【００１６】
さらに、請求項２に記載の発明は、請求項１に記載の構成に加え、前記グリップ部には、前記拡声器を操作するために前記制御手段を作動させたり、作動を停止させたりするスイッチが設けられていることを特徴とする。
【００１７】
従って、請求項２に記載の発明によれば、グリップ部に制御手段たる音声出力のための回路基板が組み込まれており、グリップ部に設けたスイッチをグリップ部を握る手（指）で操作することが可能になり、拡声器より音声を出力したり、音声の出力を停止したりすることを容易することが可能になる。
【００１８】
また、請求項３に記載の発明は、請求項１又は２に記載の構成に加え、前記気体収納体は合成樹脂製のフィルムよりなることを特徴とする。
【００１９】
従って、請求項３に記載の発明によれば、気体収納体が合成樹脂製のフィルムであることから軽量であり、気体収納体に気体である空気、ヘリウムガス、或いは水素ガス等を充填し、充填する気体の種類によっては気体収納体を空気中に浮き上がらすことが可能になる。
【００２０】
さらに、請求項４に記載の発明は、請求項１乃至３のいずれかに記載の構成に加え、前記連結部材は可撓性のある部材であることを特徴とする。
【００２１】
従って、請求項４に記載の発明によれば、グリップ部と気体収納体とを接続する連結部材が可撓性のある部材であるため、気体収納体に充填される気体によって気体収納体を空気中に浮き上がらせた場合に、連結部材により気体収納体の位置が固定されることなく、拡声器（スピーカー）からの音声が気体収納体に響き（届き）、増幅されて大きな音声になると、気体収納体が揺れ動くことが可能になる。
【００２２】
また、請求項５に記載の発明は、請求項１乃至４のいずれかに記載の構成に加え、前記拡声器が前記気体収納体に取り付けられる位置は前記気体収納体に描かれた模様と重なり合わないことを特徴とする。
【００２３】
従って、請求項５に記載の発明によれば、気体収納体に描かれたキャラクター等（模様）と重なり合わない位置に拡声器が気体収納体に取り付けられるため、見る人には、拡声器が気体収納体から離れた位置にあることで気体収納体に描かれたキャラクター等（模様）が話すようなイメージを与えることが可能なる。
【発明の効果】
【００２４】
本発明によれば、音声より気体収納体を振動させることにより、音声を大きくし、気体収納体が音声を発している状態を実現することで、気体収納体に描かれたキャラクター等が喋るかのごとく、気体収納体から音声の出力ができるようになる。そのため、単にキャラクター等が気体収納体に描かれたものに比べ、キャラクター等を身近なものとして感じることができる。特に、子供にとっては、テレビ等の人気アニメのキャラクター等から話かけられる雰囲気を味わうことができ、その人気アニメの世界へ入り込むような感覚を与えることができる。
【００２５】
また、本発明では、基本的に、音声ＩＣ（チップ）を組み込んだグリップ部、音声ＩＣとスピーカーとを連結する配線が通る連結部材（筒状部材）、及びスピーカーが取り付けられた気体収納体の三つの部材により構成されているため簡易な構成を実現することができる。
【００２６】
さらに、スピーカーが取り付けられればよく気体収納体の形状もスピーカーにより限定されることがないため、気体収納体の形状を球型に限定することなく、六面体等どんな形状でも採ることができる。例えば、テレビ等の人気アニメのキャラクターの形状を採ることもできる。
【発明を実施するための最良の形態】
【００２７】
以下、本発明を実施するための最良の形態について図面を参照して説明する。
【００２８】
（例１）
図１には、本発明の例１である音声出力玩具１の全体図が示されている。図１に示すように、音声出力玩具１はグリップ部２、連結部材である筒状部材３、及び風船である気体収納体４の三つの構成部分から成り立っている。本例では、気体収納体４は合成樹脂製のフィルムよりなり、球形状をなしているが、特に球形状に限定されるものではない。音声出力玩具１を操作することになる本例で示すグリップ部２は、人の手で持ちやすいように胴部２ｂは円筒状の形状をなしている。ただし、グリップ部２の胴部２ｂは円筒状の形状に限定されることなく、任意の形状を採ることが可能である。
【００２９】
このグリップ部２の胴部２ｂ上には、制御手段（回路基板７）を作動させたり（「ＯＮ」）、作動を停止させたり（「ＯＦＦ」）するためのスイッチ８が設けられており、指で容易に押すことが可能になっている（図１、図２及び図４参照）。また、このグリップ部２内には、音声を出力するための音声ＩＣ（チップ）７ａ、及びその音声ＩＣ（チップ）７ａを搭載し、音声ＩＣ（チップ）７ａにより拡声器であるスピーカー６から音声を出力するために、音声信号を制御するための制御手段たる回路基板７が組み込まれている。具体的には、グリップ部２内に中空部２ｃが設けられ、回路基板７が組み込まれ、中空部２ｃ（グリップ部２）により回路基板７を支持することになる。
【００３０】
詳細には、回路基板７は、図２に示すように、グリップ部２内の中空部２ｃの側壁２ｄに接着剤等により固定されている。回路基板７の回路の概略は、図３に示すように、回路基板７上には、音声ＩＣ（チップ）７ａと電源９となる電池が搭載されている。そして、回路基板７上の音声ＩＣ（チップ）７ａと電源９との間には入力端子７ｃが設けられている。入力端子７ｃに対応するグリップ部２上にはスイッチ８がくるようになっている。
【００３１】
スイッチ８が入力端子７ｃに接触することで、音声ＩＣ（チップ）７ａからの音声信号を出力したり、出力を停止したりすることになる。さらに、図２に示すように、回路基板７上の出力端子７ｂには配線５が接続されており、グリップ部２の端部２ａから配線５が伸びている。グリップ部２の端部２ａから伸びる配線５は筒状部材３に収納されることになる。本例で用いている筒状部材３は、容易には撓み難いプラスチック製の円筒状の部材である。
【００３２】
そして、グリップ部２の端部２ａと筒状部材３の端部３ａとが接着剤等により接合されている。そのグリップ部２の端部２ａから伸びる、制御手段たる回路基板７からの配線５は筒状部材３に収納され、筒状部材３の中を通って伸びている。また、筒状部材３の、グリップ部２が接続された端部３ａとは、別の端部３ｂは気体収納体４に接着されており、グリップ部２から伸びる配線５も筒状部材３内を通り抜け、筒状部材３の別の（他方の）端部３ｂから伸びて、気体収納体４へ伸びている。
【００３３】
さらに、グリップ部２から伸びる配線５の端部には、スピーカー６が取り付けられており（設けられており）、筒状部材３の別の（他方の）端部３ｂから伸びる配線５は気体収納体４の外周に沿って伸びている。そして、スピーカー６は気体収納体４の中央位置で接着剤等により固着されている（図４（ｂ）参照）。その際、スピーカー６が気体収納体４に取り付けられる位置は、図４（ｂ）に示すように、図４（ａ）に示す正面からは見えない位置とする。例えば、気体収納体４に模様（キャラクター等）が描かれていれば、気体収納体４に描かれた模様（キャラクター等）と重なり合わない位置とする。
【００３４】
具体的には、図４（ｂ）に示すように、筒状部材３を出た配線５、及びスピーカー６は気体収納体４に取り付けられることになる。そして、図１、図２及び図４に示すように、グリップ部２、筒状部材３及び気体収納体４が連結されることになる。図４（ａ）は正面から示した音声出力玩具１であり、音声出力玩具１の正面からは気体収納体４に沿って設けられた配線５及びスピーカー６は見え難くなっている。
【００３５】
つぎに、本発明である音声出力玩具１の動作について説明する。まず、例えば、子供である人がグリップ部２を握って音声出力玩具１を持つ。その際、グリップ部２より気体収納体４が上になるように持つ。そして、グリップ部２に設けられたスイッチ８を、グリップ部２を握っている指で押す。スイッチ８が押されることによりスイッチ８はグリップ部２内に組み込まれた回路基板７の入力端子７ｃに接触することになる。
【００３６】
スイッチ８が回路基板の入力端子７ｃに接触することにより、入力端子７ｃからの信号により、回路基板７に搭載された音声ＩＣ（チップ）７ａから音声信号が出力され、この音声信号が回路基板７の出力端子７ｂより配線５へ出力され、配線５の端部に設けられたスピーカー６に到達し、そのスピーカー６より音声が出力される。スピーカー６は気体収納体４に固着されているため、スピーカー６からの音声が気体収納体４に響き（届き）、気体収納体４は振動し始め、スピーカー６からの音声を気体収納体４が増幅することになる。
【００３７】
このように、スピーカー６からの音声が増幅されて大きな音声になることで気体収納体４が話すような状態を実現することになる。特に、気体収納体４の正面からは見えない位置にスピーカー６が取り付けられているため、グリップ部２を握っている人からもスピーカー６が容易には見えない。そのため、気体収納体４自身が話すイメージをグリップ部２を握っている人にも与え易くなる。
【００３８】
（例２）
図５には、本発明の例２である音声出力玩具１０の全体図が示されている。音声出力玩具１０は、例１と同様に、図５に示すように、グリップ部２０、筒状部材３０及び風船である気体収納体４０の三つの構成部分から成り立っている。音声出力装置１０を操作することになる本例で示すグリップ部２０には、スピーカー６０から音声を出力するために、音声信号を制御するための図示しない例１と同一の回路基板７が組み込まれている。例２においても、グリップ部２０の胴部２０ｂも円筒状の形状であり、例１と同一の形状をなしており、例１のスイッチ８と同一のスイッチ８１が設けられている。
【００３９】
グリップ部２０の端部２０ａと筒状部材３０の端部３０ａとが接着剤等により接合されており、そのグリップ部２０の端部２０ａから伸びる、回路基板７からの配線５０は連結部材である筒状部材３０に収納され、筒状部材３０の中を通って伸びている。この筒状部材３０は、例１の筒状部材３とは異なり可撓性のチューブであり、容易に曲がり易くなっており、軽量である。筒状部材３０の別の（他方の）端部３０ｂは接着剤等により気体収納体４０に接合されている。筒状部材３０を通り抜けた配線５０の端部には、例１と同様に、スピーカー６０が取り付けられている。
【００４０】
この配線５０及びスピーカー６０を、例１と同様に、気体収納体４０に取り付けることになる（固着することになる）。具体的には、筒状部材３０を出た配線５０、及びスピーカー６０は、図６（ｂ）に示すように、気体収納体４０に取り付けられることになる。このように取り付けることにより、音声出力装置１０の正面からは気体収納体４０に沿って設けられた配線５０及びスピーカー６０は見え難くなっている（図６（ａ）参照）。
【００４１】
つぎに、本発明である音声出力玩具１０の動作について説明する。まず、例１と同様に、例えば、子供である人がグリップ部２０を握って音声出力玩具１０を持つ。本例においては、気体収納体４０には軽い気体であるヘリウムガスが充填されている。また、気体収納体４０に取り付けられている筒状部材３０及びスピーカー６０は軽量であるため気体収納体４０は空気中に浮き上がる。この状態で、グリップ部２０に設けられたスイッチ８１をグリップ部２０を握っている指で押す。スイッチ８１が押されることによりスイッチ８１はグリップ部２０内に組み込まれた回路基板７の入力端子７ｃに接触することになる。
【００４２】
例１と同様に、スイッチ８１が、図示しない回路基板７の入力端子７ｃに接触し、入力端子７ｃから信号により、回路基板７からの音声信号が出力され、この音声信号が配線５０を経て、配線５０の端部に設けられたスピーカー６０に到達して音声を出力する。例１と同様に、スピーカー６０は気体収納体４０に固着されているため、スピーカー６０からの音声は気体収納体４０に響き（届き）、気体収納体４０は振動し始め、スピーカー６０からの音声を増幅することになる。
【００４３】
さらに、スピーカー６０からの音声が増幅されて大きい音声になることに加え、本例においては、筒状部材３０が容易に曲がり軽量であり、気体収納体４０に充填されている気体が軽い気体であるヘリウムガスであるために、気体収納体４０が揺れ動きながら浮き上がった状態になる。そのため、スピーカー６０からの音声が気体収納体４０に響き（届き）、増幅されて大きい音声になると、気体収納体４０が揺れ動くことになり、気体収納体４０が話すような状態をより実現し易くなる。
【００４４】
（例３）
図７には、本発明の例３である音声出力玩具１１の全体図が示されている。音声出力玩具１１は、例１及び例２と同様に、図７に示すように、グリップ部２２、筒状部材３２及び風船である気体収納体４２の三つの構成部分から成り立っている。本例では、図７に示すように、気体収納体４２はキャラクターの形状をなしており、気体収納体４２の表面にはキャラクターの模様が描かれている。
【００４５】
音声出力装置１１を操作することになる本例で示すグリップ部２２には、音声信号を制御するために、図示しない例１と同一の回路基板７が組み込まれている。具体的には、例１及び例２と同様に、グリップ部２２内の図示しない中空部に回路基板７を組み込み、中空部（グリップ部２２）により回路基板７を支持している。また、グリップ部２２の胴部２２ｂも円筒状の形状であり、例１及び例２と同様の形状をなしており、例１のスイッチ８と同一のスイッチ８２が設けられている。
【００４６】
グリップ部２２の端部２２ａと筒状部材３２の端部３２ａとが接着剤等により接合されており、そのグリップ部２２の端部２２ａから伸びる、回路基板７からの配線５２は連結部材である筒状部材３２に収納され、筒状部材３２の中を通って伸びている。この筒状部材３２は、例１と同様の容易には撓み難い円筒状の部材である。そして、例１及び例２と同様に、筒状部材３２の、グリップ部２２が接続された端部３２ａとは、別の（他方の）端部３２ｂは気体収納体４２に接着されている。そして、グリップ部２２から伸びる配線５２は筒状部材３２内を通り抜け、筒状部材３２の別の（他方の）端部３２ｂから伸びて、気体収納体４２へ伸びている。このように、筒状部材３２を通り抜けた配線５２の端部には、例１及び例２と同様に、スピーカー６２が取り付けられている（図８（ｂ））。
【００４７】
そのスピーカー６２も、例１及び例２と同様に、気体収納体４２の中央位置で接着剤等により固着されている（図８（ｂ）参照）。本例においては、例１及び例２とは異なり、図７及び図８に示すように、気体収納体４２にキャラクター（模様）が描かれており、スピーカー６２が気体収納体４２に取り付けられる位置は、図８（ｂ）に示すように、図８（ａ）に示す正面からは見えない位置となっている。具体的には、気体収納体４２にキャラクター（模様）が描かれているために、気体収納体４２に描かれたキャラクター（模様）と重なり合わない位置となっている。
【００４８】
つぎに、本例の音声出力玩具１１の動作について説明する。基本的な動作は例１及び例２に示す動作と同じである。まず、例えば、子供である人がグリップ部２２を握って音声出力玩具１１を持つ。そして、グリップ部２２に設けられたスイッチ８２をグリップ部２２を握っている指で押す。スイッチ８２が図示しない回路基板の入力端子に接触し、入力端子から信号が出力され、回路基板に搭載された音声ＩＣから音声信号が出力される。この音声信号が回路基板の出力端子より配線へ出力され、スピーカー６２に到達して音声が出力される。
【００４９】
スピーカー６２は気体収納体４２に固着されているため、スピーカー６２からの音声は気体収納体４２に響き（届き）、気体収納体４２は振動し始め、スピーカー６２からの音声を増幅することになる。増幅されて大きな音声になることで気体収納体４２が話すような状態を実現することになる。特に、気体収納体４２の正面からは見えない位置で、気体収納体４２に描かれたキャラクター（模様）と重なり合わない位置にスピーカー６２が取り付けられている。そのためにグリップ部２２を握っている人からも、気体収納体４２に描かれたキャラクター（模様）が話すイメージを与え易くなる。
【００５０】
（例４）
図９には、本発明の例４である音声出力玩具１２の全体図が示されている。音声出力玩具１２は、例１から例３と同様に、図９に示すように、グリップ部２４、筒状部材３４及び風船である気体収納体４４の三つの構成部分から成り立っている。本例も例３と同様に気体収納体４４はキャラクターの形状をなしており、気体収納体４４の表面にはキャラクターの模様が描かれている。音声出力装置１２を操作することになる本例で示すグリップ部２４には、音声信号を制御するために図示しない例１と同一の回路基板７が組み込まれている。グリップ部２４の胴部２４ｂも円筒状の形状であり、例１から例３と同様の形状をなしており、例１のスイッチ８と同一のスイッチ８４が設けられている。
【００５１】
グリップ部２４の端部２４ａと筒状部材３４の端部３４ａとが接着剤等により接合されており、そのグリップ部２４の端部２４ａから伸びる、図示しない回路基板からの配線５４は連結部材である筒状部材３４に収納され、筒状部材３４の中を通って伸びている。この筒状部材３４は、例２の筒状部材３２と同様に、可撓性のチューブであり、容易に曲がり易くなっており、軽量である。筒状部材３４の別の（他方の）端部３４ｂは接着剤等により気体収納体４４に接合されている。筒状部材３４を通り抜けた配線５４の端部には、例１から例３と同様に、スピーカー６４が取り付けられている。
【００５２】
この配線５４及びスピーカー６４を、例１から例３と同様に、気体収納体４４に取り付けることになる（固着することになる）。つまり、筒状部材３４を出た配線５４、及びスピーカー６４は、図１０（ｂ）に示すように、気体収納体４４に取り付けられることになる。具体的には、気体収納体４４の正面からは見えない位置で、気体収納体４４に描かれたキャラクター（模様）と重なり合わない位置にスピーカー６４が取り付けられている。このように取り付けることにより、音声出力装置１２の正面からは気体収納体４４に沿って設けられた配線５４及びスピーカー６４は見え難くなっている（図１０（ａ）参照）。
【００５３】
つぎに、本発明である音声出力玩具１２の動作について説明する。基本的な動作は例１から例３に示す動作と同じである。まず、例１から例３と同様に、例えば、子供である人がグリップ部２４を握って音声出力玩具１２を持つ。本例においては、気体収納体４４には軽い気体であるヘリウムガスが充填されている。また、気体収納体４４に取り付けられている筒状部材３４及びスピーカー６４は軽量であるため気体収納体４４は空気中に浮き上がる。この状態で、グリップ部２４に設けられたスイッチ８４をグリップ部２４を握っている指で押す。スイッチ８４が押されることによりスイッチ８４はグリップ部２４内に組み込まれた回路基板７の入力端子７ｃに接触することになる。
【００５４】
例１から例３と同様に、スイッチ８４が、図示しない回路基板７の入力端子７ｃに接触し、入力端子７ｃから信号により、回路基板７からの音声信号が出力され、この音声信号が配線５４を経て、配線５４の端部に設けられたスピーカー６４に到達して音声を出力する。例１から例３と同様に、スピーカー６４は気体収納体４４に固着されているため、スピーカー６４からの音声は気体収納体４４に響き（届き）、気体収納体４４は振動し始め、スピーカー６４からの音声を増幅することになる。
【００５５】
さらに、スピーカー６４からの音声が増幅されて大きい音声になることに加え、本例においても例２と同様に、筒状部材３４が容易に曲がり軽量であり、気体収納体４４に充填されている気体が軽い気体であるヘリウムガスであるために、気体収納体４４が揺れ動きながら浮き上がった状態になる。そのため、スピーカー６４からの音声が気体収納体４４に響き（届き）、増幅されて大きい音声になると、気体収納体４４が揺れ動くことになり、気体収納体４０が話すような状態をより実現し易くなる。
【００５６】
例１から例４において気体収納体４、４０、４１、４２に充填する気体としてヘリウムを用いたが、特に、ヘリウムガスに限定されることなく水素等も用いることは可能である。また、例１から例４において、気体収納体４、４０、４１、４２として風船を用いていたが、特に、風船に限定されることなく、気体を収納できる合成樹脂製のフィルムよりなる収納体であればよい。
【図面の簡単な説明】
【００５７】
【図１】本発明の例１による音声出力玩具の全体図である。
【図２】グリップ部の内部の構造を示す説明図である。
【図３】本発明である音声出力玩具の回路図である。
【図４】本発明の例１による音声出力玩具の説明図である。（ａ）は、本発明の例１による音声出力玩具の正面図である。（ｂ）は、本発明の例１による音声出力玩具の側面図である。
【図５】本発明の例２による音声出力玩具の全体図である。
【図６】本発明の例２による音声出力玩具の説明図である。（ａ）は、本発明の例２による音声出力玩具の正面図である。（ｂ）は、本発明の例２による音声出力玩具の側面図である。
【図７】本発明の例３による音声出力玩具の全体図である。
【図８】本発明の例３による音声出力玩具の説明図である。（ａ）は、本発明の例３による音声出力玩具の正面図である。（ｂ）は、本発明の例３による音声出力玩具の側面図である。
【図９】本発明の例４による音声出力玩具の全体図である。
【図１０】本発明の例４による音声出力玩具の説明図である。（ａ）は、本発明の例４による音声出力玩具の正面図である。（ｂ）は、本発明の例４による音声出力玩具の側面図である。
【図１１】従来の音声出力装置（スピーカー）の断面図である。
【符号の説明】
【００５８】
１、１０、１１、１２…音声出力玩具、２、２０、２２、２４…グリップ部、２ｃ…中空部、３、３０、３２、３４…筒状部材、４、４０、４２、４４…気体収納体、５、５０、５２、５４…配線、６、６０、６２、６４…スピーカー、７…回路基板（制御手段）、８、８１、８２、８４…スイッチ、９…電源
【図１】
2006167354.tif 000003
【図２】
2006167354.tif 000004
【図３】
2006167354.tif 000005
【図４】
2006167354.tif 000006
【図５】
2006167354.tif 000007
【図６】
2006167354.tif 000008
【図７】
2006167354.tif 000009
【図８】
2006167354.tif 000010
【図９】
2006167354.tif 000011
【図１０】
2006167354.tif 000012
【図１１】
2006167354.tif 000013